【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
コンピュータによって実行されるスケジューリング方法であって、
デジタルプロセッサを使用するステップと、
スケジュールされたタスクを時間進行によって、およびそれぞれのタスクの開始日付／時刻の時間順序によって表示する電子カレンダーを提供するステップと、
前記デジタルプロセッサによって表示された前記電子カレンダーとのユーザインタラクションに応答して、前記カレンダーが、ユーザが要求したタスクおよびあらかじめスケジュールされたタスクを含む、タスクの論理的に正しいスケジュールを維持するように、自動的にユーザが要求したスケジュールされていないタスクをスケジュールし、および前記カレンダー内の任意の影響を受けたあらかじめスケジュールされたタスクを再スケジュールするステップと
を備えることを特徴とするスケジューリング方法。
【請求項２】
前記電子カレンダーは、前記時間進行の増加した日付および時刻が前記電子カレンダーのビューイングパターンの増加した日付および時刻と同じ方向で図示されるように、スケジュールされたタスクをそれぞれの開始日付／時刻の時間順序によって表示することを特徴とする請求項１に記載の方法。
【請求項３】
増加した日付および時刻の前記方向は、左から右であることを特徴とする請求項２に記載の方法。
【請求項４】
前記カレンダーのビューを表示画面の片側から反対側に進ませて、現在表示されている日付および時刻に対して未来にスケジュールされたタスクおよび関連する日付または時刻を表示し、それとは逆に、スケジュールされたタスクおよび関連する日付および時刻の時間を遡って表示することにより、水平方向のビューイングパターンを実装するグラフィカルユーザインタフェースを前記電子カレンダーに提供するステップをさらに備えることを特徴とする請求項１に記載の方法。
【請求項５】
前記グラフィカルユーザインタフェースは、ドラッグアンドドロップ技術を用いることを特徴とする請求項４に記載の方法。
【請求項６】
前記カレンダーで表示されたユーザが選択したスケジュールされたタスクとのユーザインタラクションに応答して、自動的に前記ユーザが選択したタスクをユーザが要求した日付および時刻に再スケジューリングし、および自動的に前記カレンダー内の任意の衝突した他のスケジュールされたタスクを再スケジューリングするステップをさらに備えることを特徴とする請求項１に記載の方法。
【請求項７】
任意の衝突した他のスケジュールされたタスクの前記自動的に再スケジューリングするステップは、線形再スケジューリングを用いることを特徴とする請求項６に記載の方法。
【請求項８】
任意に影響を受けたあらかじめスケジュールされたタスクの前記再スケジューリングのステップは、各スケジュールされたタスクの期間およびタスクに対して有効なワーク日付−時刻の可用性に基づいた線形再スケジューリングであることを特徴とする請求項１に記載の方法。
【請求項９】
前記スケジュールされたタスクは、製造指図のオペレーションおよび製造生産のうちの少なくとも１つのワークタスクであることを特徴とする請求項１に記載の方法。
【請求項１０】
前記電子カレンダーのユーザインタラクションに応答して、ユーザが選択したリソースを前記カレンダー内のユーザが選択したスケジュールされたタスクに再スケジューリングするステップをさらに備えることを特徴とする請求項１に記載の方法。
【請求項１１】
スケジュールされたタスクを時間の感覚と同義であるビューイングパターンを有するように方向付けられた時間進行によって表示する少なくとも１つの電子カレンダーを提供するように構成されたデジタルプロセッサであって、前記電子カレンダーは、スケジュールされたタスクをそれぞれの開始日付／時刻の時間順序によって表示する、デジタルプロセッサと、
前記デジタルプロセッサによって実行されるスケジューリングエンジンであって、前記スケジューリングエンジンは、前記デジタルプロセッサによって表示された前記カレンダーとのユーザインタラクションに応答して、前記カレンダーが、ユーザが要求したタスクおよびあらかじめスケジュールされたタスクを含む、タスクの論理的に正しいスケジュールを維持するように、自動的にユーザが要求したスケジュールされていないタスクをスケジュールし、および前記カレンダー内の任意の影響を受けたあらかじめスケジュールされたタスクを再スケジュールする、スケジュールエンジンと、
前記デジタルプロセッサおよび前記電子カレンダーの表示ビューに通信可能に結合された表示モニタと
を備えることを特徴とするコンピュータベースのスケジューリング装置。
【請求項１２】
前記時間進行の増加した日付および時刻が前記ビューイングパターンの増加した日付および時刻と同じ方向で示されることを特徴とする請求項１１に記載のコンピュータベースのスケジューリング装置。
【請求項１３】
増加した日付および時刻の前記方向は、左から右であることを特徴とする請求項１２に記載のコンピュータベースのスケジューリング装置。
【請求項１４】
前記電子カレンダーに結合され、および前記カレンダーのビューを前記表示モニタの片側から反対側に進ませて、現在表示されている日付および時刻に対して未来の日付および時刻においてスケジュールされたタスクを表示し、それとは逆に、時間を遡った日付および時刻においてスケジュールされたタスクを表示することによって水平方向のビューイングパターンを実装するグラフィカルユーザインタフェースをさらに備えることを特徴とする請求項１１に記載のコンピュータベースのスケジューリング装置。
【請求項１５】
前記グラフィカルユーザインタフェースは、ドラッグアンドドロップ技術を用いることを特徴とする請求項１４に記載のコンピュータベースのスケジューリング装置。
【請求項１６】
前記スケジューリングエンジンは、前記カレンダーで表示されたユーザが選択したスケジュールされたタスクとのユーザインタラクションに応答して、自動的に前記ユーザが選択したタスクをユーザが要求した日付および時刻に再スケジューリングし、および自動的に前記カレンダー内の任意の衝突した他のスケジュールされたタスクを再スケジューリングするようにさらに構成されることを特徴とする請求項１１に記載のコンピュータベースのスケジューリング装置。
【請求項１７】
前記スケジューリングエンジンは、線形再スケジューリングを用いることを特徴とする請求項１１に記載のコンピュータベースのスケジューリング装置。
【請求項１８】
前記スケジュールされたタスクは、製造指図のオペレーションおよび製造生産のうちの少なくとも１つのワークタスクであることを特徴とする請求項１１に記載のコンピュータベースのスケジューリング装置。
【請求項１９】
前記スケジューリングエンジンは、前記電子カレンダーとのユーザインタラクションに応答して、ユーザが選択したリソースを前記カレンダー内のユーザが選択したスケジュールされたタスクにスケジュールするように構成されることを特徴とする請求項１１に記載のコンピュータベースのスケジューリング装置。
【請求項２０】
コンピュータによって実行される場合に前記コンピュータに以下のステップ、すなわち
１または複数の電子カレンダーを提供し、および前記カレンダーのいずれかのユーザ操作をサポートさせるステップと、
定められたカレンダーを提供するコンピュータプログラムコードと、
水平方向のビューイングパターンに沿った時間進行で、前記電子カレンダー内でスケジュールされたタスクを表示させるステップと、
前記電子カレンダーとのユーザインタラクションに応答して、前記電子カレンダーが、ユーザが選択したタスクおよびあらかじめスケジュールされたタスクを含む、タスクの論理的に正しいスケジュールを維持するように、自動的にユーザが要求したタスクをスケジュールし、および前記電子カレンダー内の任意の衝突したあらかじめスケジュールされたタスクを再スケジュールさせるステップ
を実行させることを特徴とするコンピュータプログラム。